【手続補正書】
【提出日】平成28年5月13日(2016.5.13)
【手続補正１】
【補正対象書類名】明細書
【補正対象項目名】００１０
【補正方法】変更
【補正の内容】
【００１０】
空気調和機は、室外制御基板に備えたコネクタに、マイコンの制御プログラムあるいは記憶媒体の制御パラメータを送信するデータ送受信機が接続された場合には、マイコンは、コネクタにシリアル送受信回路を接続し、制御プログラムを受信してマイコンに書き込みあるいは制御パラメータを受信して記憶媒体に書き込み、コネクタにデマンド信号を送信するデマンド信号送信機が接続された場合には、マイコンは、コネクタに入力回路を接続し、デマンド信号を受信して空気調和機の消費電力を制御するようにしたものである。
【手続補正２】
【補正対象書類名】明細書
【補正対象項目名】００１１
【補正方法】変更
【補正の内容】
【００１１】
空気調和機は、室外制御基板に備えたコネクタに、マイコンの制御プログラムあるいは記憶媒体の制御パラメータを送受信するデータ送受信機が接続された場合には、マイコンは、コネクタにシリアル送受信回路を接続し、制御プログラムを受信してマイコンに書き込みあるいは制御パラメータを受信して記憶媒体に書き込み、コネクタにデマンド信号を送信するデマンド信号送信機が接続された場合には、マイコンは、コネクタに入力回路を接続し、デマンド信号を受信して空気調和機の消費電力を制御するようにしたので、デマンド信号送信機と接続するコネクタとマイコンの入力端子を専用に設けることなく、デマンド信号送信機からデマンド信号を受信しデマンド管理制御することができる空気調和機を得ることができる。
【手続補正３】
【補正対象書類名】特許請求の範囲
【補正対象項目名】全文
【補正方法】変更
【補正の内容】
【特許請求の範囲】
【請求項１】
室内機と、圧縮機を搭載した室外機と、前記室外機に搭載された室外機制御基板と、を備え、
前記室外機制御基板は、前記圧縮機を制御する制御プログラムを備えたマイコンと、前記圧縮機を制御する制御パラメータを記憶した記憶媒体と、前記マイコンに接続されたコネクタと、を備え、
前記マイコンは、前記制御プログラムが書き込まれたメモリと、前記メモリに書き込まれる新たな制御プログラムあるいは前記記憶媒体に書き込まれる新たな制御パラメータを受信するシリアル送受信回路と、前記室内機および前記室外機の消費電力を制御するデマンド信号を受信する入力回路と、前記シリアル送受信回路あるいは前記入力回路のいずれかを前記コネクタに接続する切替え回路と、を備え、
前記コネクタに、前記新たな制御プログラムあるいは前記新たな制御パラメータを送信するデータ送受信機が接続された場合には、前記マイコンは、前記コネクタに前記シリアル送受信回路を接続し、前記新たな制御プログラムあるいは前記新たな制御パラメータを受信して前記メモリあるいは前記記憶媒体に書き込み、
前記コネクタに、前記デマンド信号を送信するデマンド信号送信機が接続された場合には、前記マイコンは、前記コネクタに前記入力回路を接続し、前記デマンド信号を受信して前記室内機および前記室外機の消費電力を制御することを特徴とする空気調和機。
【請求項２】
前記室外機制御基板は、ＨｉまたはＬｏの信号を出力するジャンパー線回路あるいはスイッチ回路を備え、
前記マイコンは、前記ジャンパー線回路あるいは前記スイッチ回路から出力される信号を検出する検出回路を有し、前記検出回路が検出した信号に基づき、前記コネクタに接続する前記シリアル送受信回路と前記入力回路とを切替えることを特徴とする請求項１に記載の空気調和機。
【請求項３】
前記マイコンは、前記室外機制御基板に電源供給が開始された後、前記コネクタに前記シリアル送受信回路を接続し、前記新たな制御プログラムあるいは前記新たな制御パラメータが受信されずに予め定められた経過時間が経過した場合、前記シリアル送受信回路を前記入力回路に切替え、前記デマンド信号が受信できるようにすることを特徴とする請求項１に記載の空気調和機。
【請求項４】
前記経過時間は、前記室外機制御基板に電源供給を開始し前記室内機と通信を開始するまでの時間より長く、前記室外機制御基板に電源供給を開始し前記圧縮機が起動するまでの時間より短い時間であることを特徴とする請求項３に記載の空気調和機。
【請求項５】
前記シリアル送受信回路は、前記新たな制御プログラムあるいは前記新たな制御パラメータを受信完了した場合、前記データ送受信機に受信完了したことを返信することを特徴とする請求項１から４のいずれかに記載の空気調和機。
【請求項６】
室内機と、
圧縮機を搭載した室外機と、前記室外機に搭載された室外機制御基板と、を備え、
前記室外機制御基板は、前記圧縮機を制御する制御プログラムを備えたマイコンと、前記圧縮機を制御する制御パラメータを記憶した記憶媒体と、前記マイコンに接続されたコネクタと、を備え、
前記マイコンは、前記制御プログラムが書き込まれたメモリと、前記メモリに書き込まれる新たな制御プログラム、あるいは、前記記憶媒体に書き込まれる新たな制御パラメータ、あるいは、前記新たな制御プログラムと前記新たな制御パラメータより通信速度が遅い前記室内機および前記室外機の消費電力を制御するデマンド信号を受信するシリアル送受信回路と、を備え、
前記コネクタに、前記新たな制御プログラムあるいは前記新たな制御パラメータを送信するデータ送受信機が接続された場合には、前記マイコンは、前記新たな制御プログラムあるいは前記新たな制御パラメータを受信して前記メモリあるいは前記記憶媒体に書き込み、
前記コネクタに、前記デマンド信号を送信するデマンド信号送信機が接続された場合には、前記マイコンは、前記シリアル送受信回路の通信速度を前記新たな制御プログラムと前記新たな制御パラメータを受信する場合より下げ、前記デマンド信号を受信して前記室内機および前記室外機の消費電力を制御することを特徴とする空気調和機。
【請求項７】
前記マイコンは、前記制御プログラムあるいは前記制御パラメータが受信されずに予め定められた経過時間が経過した場合、前記シリアル送受信回路の通信速度を変更して前記デマンド信号を受信できるようにし、前記デマンド信号が受信されずに予め定められた経過時間が経過した場合には、前記シリアル送受信回路の通信速度を変更して前記制御プログラムあるいは前記制御パラメータを受信できるようにすることを特徴とする請求項６に記載の空気調和機。
【請求項８】
前記経過時間は、前記室外機制御基板に電源供給を開始し前記室内機と通信を開始するまでの時間より長く、前記室外機制御基板に電源供給を開始し前記圧縮機が起動するまでの時間より短い時間であることを特徴とする請求項７に記載の空気調和機。
【請求項９】
前記シリアル送受信回路は、前記新たな制御プログラムあるいは前記新たな制御パラメータあるいは前記デマンド信号を受信完了した場合、前記データ送受信機あるいは前記デマンド信号送信機に受信完了したことを返信することを特徴とする請求項５から７のいずれかに記載の空気調和機。
【請求項１０】
室内機と、圧縮機を搭載した室外機と、前記室外機に搭載された室外機制御基板と、前記室外機制御基板に搭載され前記圧縮機を制御する制御プログラムを備えたマイコンと、前記室外機制御基板に搭載され前記圧縮機を制御する制御パラメータを記憶した記憶媒体と、前記マイコンに接続されたコネクタと、を備え、
前記マイコンは、前記マイコンに書き込まれる新たな制御プログラムあるいは前記記憶媒体に書き込まれる新たな制御パラメータを受信し、前記マイコンに前記新たな制御プログラムを書き込むあるいは前記記憶媒体に前記新たな制御パラメータを書き込む第一のステップと、前記室内機および前記室外機の消費電力を制御するデマンド信号を受信し、前記室内機および前記室外機の消費電力を制御する第二のステップと、前記コネクタに前記新たな制御プログラムあるいは前記新たな制御パラメータを送受信するデータ送受信機が接続された場合、前記第一のステップを実行し、前記コネクタに前記デマンド信号を送信するデマンド信号送信機が接続された場合、前記第二のステップを実行する第三のステップを、を備えたことを特徴とする空気調和機の制御方法。